【手続補正書】
【提出日】平成28年11月30日(2016.11.30)
【手続補正１】
【補正対象書類名】特許請求の範囲
【補正対象項目名】全文
【補正方法】変更
【補正の内容】
【特許請求の範囲】
【請求項１】
ビデオ情報をコード化するように構成された装置であって、前記装置が、
ベースレイヤと拡張レイヤとに関連付けられたビデオ情報を記憶するように構成されたメモリユニットと、
前記メモリユニットと通信するプロセッサとを備え、前記プロセッサは、
拡張レイヤ動きベクトルを使用してベースレイヤ参照ブロックを決定することと、
前記ベースレイヤと前記拡張レイヤとが異なる解像度を有するとき、アップサンプリングフィルタを使用することによって前記ベースレイヤ参照ブロックをアップサンプリングすることと、
前記アップサンプリングされたベースレイヤ参照ブロックをフィルタ処理することによって動き補償補間を実行することと、
フィルタ処理された前記アップサンプリングされたベースレイヤ参照ブロックに基づいてベースレイヤ残差情報を決定することと、
前記ベースレイヤ残差情報に重み付け係数を適用することによって、重み付けされたベースレイヤ残差情報を決定することと、及び、
ｉ）ルーマ専用モードが有効にされると決定したことに応答して、前記重み付けされたベースレイヤ残差情報に基づいて拡張レイヤブロックのルーマ成分のみを決定し、通常時間予測を使用することによって前記拡張レイヤブロックのクロマ成分を決定することと、並びに
ｉｉ）クロマ専用モードが有効にされると決定したことに応答して、前記重み付けされたベースレイヤ残差情報に基づいて前記拡張レイヤブロックの前記クロマ成分のみを決定し、通常時間予測を使用することによって前記拡張レイヤブロックの前記ルーマ成分を決定することと
のうちの１つを実行することと、
を行うように構成され、ここにおいて、前記アップサンプリングフィルタが６つ又はそれよりも少ないタップを有する、装置。
【請求項２】
前記プロセッサが、４タップアップサンプリングフィルタを使用して前記ベースレイヤ参照ブロックをアップサンプリングし、双一次補間フィルタを使用して前記動き補償補間を実行するように構成された、請求項１に記載の装置。
【請求項３】
前記プロセッサが、前記ベースレイヤ参照ブロックをアップサンプリングし、単一の５タップ合成アップサンプリング及び動き補償補間フィルタを適用することによって前記動き補償補間を実行するように構成された、請求項１に記載の装置。
【請求項４】
前記合成アップサンプリング及び動き補償補間フィルタが前記拡張レイヤブロックのルーマ成分とクロマ成分の両方について１６個の位相を有する、請求項３に記載の装置。
【請求項５】
前記拡張レイヤ動きベクトルが画素の１／１６の精度にスケーリングされる、請求項４に記載の装置。
【請求項６】
前記プロセッサが、平滑化、アップサンプリング、又は他のレイヤ間フィルタ処理を実行するために、３タップ平滑化フィルタと３タップアップサンプリングフィルタと３タップレイヤ間フィルタとのうちの少なくとも１つを使用するように更に構成された、請求項１に記載の装置。
【請求項７】
ビデオ情報をコード化する方法であって、前記方法は、
ベースレイヤと拡張レイヤとに関連付けられたビデオ情報を記憶することと、
拡張レイヤ動きベクトルを使用してベースレイヤ参照ブロックを決定することと、
前記ベースレイヤと前記拡張レイヤとが異なる解像度を有するとき、６つ又はそれよりも少ないタップを有するアップサンプリングフィルタを使用することによって前記ベースレイヤ参照ブロックをアップサンプリングすることと、
前記アップサンプリングされたベースレイヤ参照ブロックをフィルタ処理することによって動き補償補間を実行することと、
前記フィルタ処理されたアップサンプリングされたベースレイヤ参照ブロックに基づいてベースレイヤ残差情報を決定することと、
前記ベースレイヤ残差情報に重み付け係数を適用することによって、重み付けされたベースレイヤ残差情報を決定することと、及び
ｉ）ルーマ専用モードが有効にされると決定したことに応答して、前記重み付けされたベースレイヤ残差情報に基づいて拡張レイヤブロックのルーマ成分のみを決定し、通常時間予測を使用することによって前記拡張レイヤブロックのクロマ成分を決定することと、並びに
ｉｉ）クロマ専用モードが有効にされると決定したことに応答して、前記重み付けされたベースレイヤ残差情報に基づいて前記拡張レイヤブロックの前記クロマ成分のみを決定し、通常時間予測を使用することによって前記拡張レイヤブロックの前記ルーマ成分を決定することと
のうちの１つを実行することと、
を備える、方法。
【請求項８】
前記アップサンプリングフィルタが４タップアップサンプリングフィルタであり、前記動き補償補間が、双一次補間フィルタを使用することによって実行される、請求項７に記載の方法。
【請求項９】
前記アップサンプリングすることと前記動き補償補間とが、単一の５タップ合成アップサンプリング及び動き補償補間フィルタを適用することによって一緒に実行される、請求項７に記載の方法。
【請求項１０】
前記合成アップサンプリング及び動き補償補間フィルタが前記拡張レイヤブロックのルーマ成分とクロマ成分の両方について１６個の位相を有する、請求項９に記載の方法。
【請求項１１】
前記拡張レイヤ動きベクトルが画素の１／１６の精度にスケーリングされる、請求項１０に記載の方法。
【請求項１２】
平滑化、アップサンプリング、又は他のレイヤ間フィルタ処理を実行するために、３タップ平滑化フィルタと３タップアップサンプリングフィルタと３タップレイヤ間フィルタとのうちの少なくとも１つを使用することを更に備える、請求項７に記載の方法。
【手続補正２】
【補正対象書類名】明細書
【補正対象項目名】０２０８
【補正方法】変更
【補正の内容】
【０２０８】
[00238]本発明の様々な実施形態について説明した。これら及び他の実施形態は以下の特許請求の範囲内に入る。
以下に、出願当初の特許請求の範囲に記載された発明を付記する。
［Ｃ１］
ビデオ情報をコード化するように構成された装置であって、前記装置が、
ベースレイヤと拡張レイヤとに関連付けられたビデオ情報を記憶するように構成されたメモリユニットと、
前記メモリユニットと通信するプロセッサとを備え、前記プロセッサは、
拡張レイヤ動きベクトルを使用してベースレイヤ参照ブロックを決定することと、
前記ベースレイヤと前記拡張レイヤとが異なる解像度を有するとき、アップサンプリングフィルタを使用することによって前記ベースレイヤ参照ブロックをアップサンプリングすることと、
前記アップサンプリングされたベースレイヤ参照ブロックをフィルタ処理することによって動き補償補間を実行することと、
フィルタ処理された前記アップサンプリングされたベースレイヤ参照ブロックに基づいてベースレイヤ残差情報を決定することと、
前記ベースレイヤ残差情報に重み付け係数を適用することによって、重み付けされたベースレイヤ残差情報を決定することと、
前記重み付けされたベースレイヤ残差情報に基づいて拡張レイヤブロックを決定することとを行うように構成され、ここにおいて、前記アップサンプリングフィルタが６つ又はそれよりも少ないタップを有する、装置。
［Ｃ２］
前記プロセッサが、４タップアップサンプリングフィルタを使用して前記ベースレイヤ参照ブロックをアップサンプリングし、双一次補間フィルタを使用して前記動き補償補間を実行するように構成された、Ｃ１に記載の装置。
［Ｃ３］
前記プロセッサが、前記ベースレイヤ参照ブロックをアップサンプリングし、単一の５タップ合成アップサンプリング及び動き補償補間フィルタを適用することによって前記動き補償補間を実行するように構成された、Ｃ１に記載の装置。
［Ｃ４］
前記合成アップサンプリング及び動き補償補間フィルタが前記拡張レイヤブロックのルーマ成分とクロマ成分の両方について１６個の位相を有する、Ｃ３に記載の装置。
［Ｃ５］
前記拡張レイヤ動きベクトルが画素の１／１６の精度にスケーリングされる、Ｃ４に記載の装置。
［Ｃ６］
前記プロセッサが、平滑化、アップサンプリング、又は他のレイヤ間フィルタ処理を実行するために、３タップ平滑化フィルタと３タップアップサンプリングフィルタと３タップレイヤ間フィルタとのうちの少なくとも１つを使用するように更に構成された、Ｃ１に記載の装置。
［Ｃ７］
前記プロセッサは、
ルーマ専用モードが有効にされると決定したことに応答して、前記重み付けされたベースレイヤ残差情報に基づいて前記拡張レイヤブロックの前記ルーマ成分のみを決定し、通常時間予測を使用することによって前記拡張レイヤブロックの前記クロマ成分を決定することと、
クロマ専用モードが有効にされると決定したことに応答して、前記重み付けされたベースレイヤ残差情報に基づいて前記拡張レイヤブロックの前記クロマ成分のみを決定し、通常時間予測を使用することによって前記拡張レイヤブロックの前記ルーマ成分を決定することとを行うように構成された、Ｃ１に記載の装置。
［Ｃ８］
ビデオ情報をコード化する方法であって、前記方法は、
ベースレイヤと拡張レイヤとに関連付けられたビデオ情報を記憶することと、
拡張レイヤ動きベクトルを使用してベースレイヤ参照ブロックを決定することと、
前記ベースレイヤと前記拡張レイヤとが異なる解像度を有するとき、６つ又はそれよりも少ないタップを有するアップサンプリングフィルタを使用することによって前記ベースレイヤ参照ブロックをアップサンプリングすることと、
前記アップサンプリングされたベースレイヤ参照ブロックをフィルタ処理することによって動き補償補間を実行することと、
前記フィルタ処理されたアップサンプリングされたベースレイヤ参照ブロックに基づいてベースレイヤ残差情報を決定することと、
前記ベースレイヤ残差情報に重み付け係数を適用することによって、重み付けされたベースレイヤ残差情報を決定することと、
前記重み付けされたベースレイヤ残差情報に基づいて拡張レイヤブロックを決定することとを備える、方法。
［Ｃ９］
前記アップサンプリングフィルタが４タップアップサンプリングフィルタであり、前記動き補償補間が、双一次補間フィルタを使用することによって実行される、Ｃ８に記載の方法。
［Ｃ１０］
前記アップサンプリングすることと前記動き補償補間とが、単一の５タップ合成アップサンプリング及び動き補償補間フィルタを適用することによって一緒に実行される、Ｃ８に記載の方法。
［Ｃ１１］
前記合成アップサンプリング及び動き補償補間フィルタが前記拡張レイヤブロックのルーマ成分とクロマ成分の両方について１６個の位相を有する、Ｃ１０に記載の方法。
［Ｃ１２］
前記拡張レイヤ動きベクトルが画素の１／１６の精度にスケーリングされる、Ｃ１１に記載の方法。
［Ｃ１３］
平滑化、アップサンプリング、又は他のレイヤ間フィルタ処理を実行するために、３タップ平滑化フィルタと３タップアップサンプリングフィルタと３タップレイヤ間フィルタとのうちの少なくとも１つを使用することを更に備える、Ｃ８に記載の方法。
［Ｃ１４］
前記拡張レイヤブロックを決定する前記ステップは、
ルーマ専用モードが有効にされると決定したことに応答して、前記重み付けされたベースレイヤ残差情報に基づいて前記拡張レイヤブロックの前記ルーマ成分のみを決定し、通常時間予測を使用することによって前記拡張レイヤブロックの前記クロマ成分を決定することと、
クロマ専用モードが有効にされると決定したことに応答して、前記重み付けされたベースレイヤ残差情報に基づいて前記拡張レイヤブロックの前記クロマ成分のみを決定し、通常時間予測を使用することによって前記拡張レイヤブロックの前記ルーマ成分を決定することとを備える、Ｃ８に記載の方法。
［Ｃ１５］
ビデオ情報をコード化するように構成された装置であって、前記装置が、
ベースレイヤと拡張レイヤとに関連付けられたビデオ情報を記憶するように構成されたメモリユニットと、
前記メモリユニットと通信しているプロセッサとを備え、前記プロセッサは、
拡張レイヤブロックが、閾値サイズより大きいか又はそれに等しいサイズを有するかどうかを決定すること、及び
前記拡張レイヤブロックが、前記閾値サイズよりも大きいか又はそれに等しいサイズを有すると決定したことに応答して、少なくとも、
前記ベースレイヤと前記拡張レイヤとが異なる解像度を有するとき、アップサンプリングフィルタを使用することによってベースレイヤ参照ブロックをアップサンプリングすることと、
前記アップサンプリングされたベースレイヤ参照ブロックをフィルタ処理することによって動き補償補間を実行することと、
前記フィルタ処理されたアップサンプリングされたベースレイヤ参照ブロックに基づいてベースレイヤ残差情報を決定することと、
前記ベースレイヤ残差情報に重み付け係数を適用することによって、重み付けされたベースレイヤ残差情報を決定することと、
前記重み付けされたベースレイヤ残差情報に基づいて前記拡張レイヤブロックを決定することとによって、一般化残差予測（ＧＲＰ）を実行することを行うように構成された、装置。
［Ｃ１６］
前記プロセッサは、前記拡張レイヤブロックが、前記閾値サイズよりも大きくないか又はそれに等しいサイズを有すると決定したことに応答して、前記拡張レイヤブロックが単方向予測ブロックである場合のみ、前記拡張レイヤブロックについてＧＲＰを実行する、Ｃ１５に記載の装置。
［Ｃ１７］
前記プロセッサによって実行される前記ＧＲＰがイントラ予測を含み、前記拡張レイヤブロックに隣接し、前記イントラ予測での使用するに利用不可能である近隣参照サンプルは、前記拡張レイヤのビット深度と、前記イントラ予測が差分領域中で実行されるかどうかとに基づいて置換される、Ｃ１５に記載の装置。
［Ｃ１８］
前記重み付け係数が、前記拡張レイヤブロックに空間的に近隣又は隣接するブロック、前記拡張レイヤブロックがそこに位置する現在ピクチャに時間的に隣接するピクチャ中のブロック、又は前記拡張レイヤブロックと同一位置配置されたベースレイヤブロックから導出される、Ｃ１５に記載の装置。
［Ｃ１９］
前記重み付け係数がデフォルト値に設定され、前記拡張レイヤブロックについて重み付け情報が信号伝達されない、Ｃ１５に記載の装置。
［Ｃ２０］
前記プロセッサが、ＧＲＰ重み付け情報を含むレイヤ間参照ピクチャと、前記ベースレイヤのアップサンプリングされたテクスチャピクチャとを参照ピクチャリストに追加するように構成された、Ｃ１５に記載の装置。
［Ｃ２１］
前記プロセッサが、ベースレイヤ参照ピクチャと同一位置配置された拡張レイヤ参照ピクチャをフィルタ処理することによって、前記ベースレイヤ参照ピクチャにアクセスする代わりにアクセスされ得る模擬ベースレイヤ参照ピクチャを決定することと、前記模擬ベースレイヤ参照ピクチャに基づいて前記拡張レイヤブロックを決定することとを行うように構成された、Ｃ１５に記載の装置。
［Ｃ２２］
前記プロセッサが、固定４タップ低域フィルタと固定３タップ低域フィルタと適応フィルタとのうちの少なくとも１つを使用して前記同一位置配置された拡張レイヤ参照ピクチャをフィルタ処理するように構成された、Ｃ２１に記載の装置。
［Ｃ２３］
ビデオ情報をコード化する方法であって、装置は、
ベースレイヤと拡張レイヤとに関連付けられたビデオ情報を記憶すること、
拡張レイヤブロックが、閾値サイズよりも大きいか又はそれに等しいサイズを有するかどうかを決定すること、及び
前記拡張レイヤブロックが、前記閾値サイズよりも大きいか又はそれに等しいサイズを有すると決定したことに応答して、少なくとも、
前記ベースレイヤと前記拡張レイヤとが異なる解像度を有するとき、アップサンプリングフィルタを使用することによってベースレイヤ参照ブロックをアップサンプリングすることと、
前記アップサンプリングされたベースレイヤ参照ブロックをフィルタ処理することによって動き補償補間を実行することと、
前記フィルタ処理されたアップサンプリングされたベースレイヤ参照ブロックに基づいてベースレイヤ残差情報を決定することと、
前記ベースレイヤ残差情報に重み付け係数を適用することによって、重み付けされたベースレイヤ残差情報を決定することと、
前記重み付けされたベースレイヤ残差情報に基づいて前記拡張レイヤブロックを決定することとによって、一般化残差予測（ＧＲＰ）を実行することを備える、方法。
［Ｃ２４］
前記拡張レイヤブロックが、前記閾値サイズよりも大きくないか又はそれに等しいサイズを有すると決定したことに応答して、前記拡張レイヤブロックが単方向予測ブロックである場合のみ、前記拡張レイヤブロックについてＧＲＰを実行することを更に備える、Ｃ２３に記載の方法。
［Ｃ２５］
実行される前記ＧＲＰがイントラ予測を含み、前記拡張レイヤブロックに隣接し、前記イントラ予測での使用に利用不可能である近隣参照サンプルは、前記拡張レイヤのビット深度と、前記イントラ予測が異なる領域中で実行されるかどうかとに基づいて置換される、Ｃ２３に記載の方法。
［Ｃ２６］
前記重み付け係数が、前記拡張レイヤブロックに空間的に近隣又は隣接するブロック、前記拡張レイヤブロックがそこに位置する現在ピクチャに時間的に隣接するピクチャ中のブロック、又は前記拡張レイヤブロックと同一位置配置されたベースレイヤブロックから導出される、Ｃ２３に記載の方法。
［Ｃ２７］
前記重み付け係数がデフォルト値に設定され、前記拡張レイヤブロックについて重み付け情報が信号伝達されない、Ｃ２３に記載の方法。
［Ｃ２８］
ＧＲＰ重み付け情報を含むレイヤ間参照ピクチャと、前記ベースレイヤのアップサンプリングされたテクスチャピクチャとを参照ピクチャリストに追加することを更に備える、Ｃ２３に記載の方法。
［Ｃ２９］
ベースレイヤ参照ピクチャと同一位置配置された同一位置配置拡張レイヤ参照ピクチャをフィルタ処理することによって、前記ベースレイヤ参照ピクチャの代わりにアクセスされ得る模擬ベースレイヤ参照ピクチャを決定することと、
前記模擬ベースレイヤ参照ピクチャに基づいて前記拡張レイヤブロックを決定することとを更に備える、Ｃ２３に記載の方法。
［Ｃ３０］
前記同一位置配置拡張レイヤ参照ピクチャが、固定４タップ低域フィルタと固定３タップ低域フィルタと適応フィルタとのうちの少なくとも１つを使用してフィルタ処理される、Ｃ２９に記載の方法。